(57)【要約】【課題】処理量に関するバラツキや偏りが顕著に低減される表面処理装置を提供する。【解決手段】本発明は、所定の厚みの板状ないしフィルム状の被処理体の表裏両面に処理液を接触させて表面処理を実施する表面処理装置であって、上面壁と、下面壁と、前記被処理体が導入ないし排出される開口と、を有する反応容器と、前記反応容器の上面壁に設けられ、前記反応容器の内部に向けて処理液を下向きに供給する処理液下向き供給部と、前記反応容器の下面壁に設けられ、前記反応容器の内部に向けて処理液を上向きに供給する処理液上向き供給部と、を備えたことを特徴とする表面処理装置である。【選択図】図４
2014205865.tif 000002
【特許請求の範囲】
【請求項１】
所定の厚みの板状ないしフィルム状の被処理体の表裏両面に処理液を接触させて表面処理を実施する表面処理装置であって、
上面壁と、下面壁と、前記被処理体が導入ないし排出される開口と、を有する反応容器と、
前記反応容器の上面壁に設けられ、前記反応容器の内部に向けて処理液を下向きに供給する処理液下向き供給部と、
前記反応容器の下面壁に設けられ、前記反応容器の内部に向けて処理液を上向きに供給する処理液上向き供給部と、
を備えたことを特徴とする表面処理装置。
【請求項２】
前記処理液下向き供給部の前記上面壁における開口の位置と、前記処理液上向き供給部の前記下面壁における開口の位置とは、鉛直方向に対応している
ことを特徴とする請求項１に記載の表面処理装置。
【請求項３】
前記処理液下向き供給部は、前記上面壁において、複数の開口を有しており、
前記処理液上向き供給部は、前記下面壁において、複数の開口を有しており、
前記処理液下向き供給部の前記上面壁における前記複数の開口の各位置と、前記処理液上向き供給部の前記下面壁における前記複数の開口の各位置とは、鉛直方向に対応している
ことを特徴とする請求項１に記載の表面処理装置。
【請求項４】
前記上面壁において、当該上面壁上の複数の開口を互いに連通させる溝穴が設けられており、
前記下面壁において、当該下面壁上の複数の開口を互いに連通させる溝穴が設けられている
ことを特徴とする請求項３に記載の表面処理装置。
【請求項５】
前記処理液下向き供給部による処理液の供給圧と前記処理液上向き供給部による処理液の供給圧とによって、前記被処理体は液中に浮遊した状態で表面処理が実施されるようになっている
ことを特徴とする請求項１乃至４のいずれかに記載の表面処理装置。
【請求項６】
前記上面壁と前記下面壁とは、平行であり、
前記上面壁と前記下面壁との間の高さは、前記被処理体の所定の厚みの１を超えて５０倍以下の範囲である
ことを特徴とする請求項１乃至５のいずれかに記載の表面処理装置。
【請求項７】
前記上面壁と前記下面壁との間の高さは、前記被処理体の所定の厚みの１を超えて１０倍以下の範囲である
ことを特徴とする請求項６に記載の表面処理装置。
【請求項８】
前記下面壁に、処理液を排出するための排出溝が形成されている
ことを特徴とする請求項１乃至７のいずれかに記載の表面処理装置。
【請求項９】
前記反応容器には、前記被処理体が導入される導入口と、前記被処理体が排出される排出口とが、直線上に別個に設けられている
ことを特徴とする請求項１乃至８のいずれかに記載の表面処理装置。
【請求項１０】
前記反応容器の前記導入口の近傍に、前記被処理体を前記導入口に導入させる導入用搬送装置が設けられている
ことを特徴とする請求項９に記載の表面処理装置。
【請求項１１】
前記反応容器の前記排出口の近傍に、前記被処理体の前記排出口からの排出を支援する排出用搬送装置が設けられている
ことを特徴とする請求項１０に記載の表面処理装置。
【請求項１２】
請求項１乃至１１のいずれかに記載の表面処理装置を用いて、所定の厚みの板状ないしフィルム状の被処理体の表裏両面に表面処理を実施する方法であって、
前記処理液下向き供給部及び前記処理液上向き供給部の両方から前記反応容器内に処理液を供給し続ける処理液供給工程と、
前記処理液供給工程中に、前記導入口から前記被処理体を前記反応容器内に導入する被処理体導入工程と、
を備えたことを特徴とする方法。
【発明の詳細な説明】
【技術分野】
【０００１】
本発明は、所定の厚みの板状ないしフィルム状の被処理体の表面に処理液を接触させて表面処理を実施する表面処理装置に関する。
【背景技術】
【０００２】
近年における電子機器装置や機械装置の高機能化、薄型化、小型化の進展は、当該装置を構成する電子部品、機構部品などの基幹部品の高機能化、高密度化、薄型化、小型化に関する技術の進歩が支えている。
【０００３】
一般に、高密度でかつ小型の部品の製造方法として、平板状基板を用いて多層構成にしたり、基板表面に２次元の微細加工を施す方式や多層構成において３次元の微細加工を施す方式が、汎用されている。また、部品製造過程においては、基板面の洗浄、酸化被膜の除去、化学的エッチングやメッキなどの液体表面処理、等が不可欠な工程として採用されている。
【０００４】
部品の高機能化、高密度化、薄型化、小型化は、今後もますます進展していくことが予想される。このため、液体表面処理の技術においても、処理量のバラツキや偏りをなくすことが求められている。
【０００５】
液体表面処理は、処理基板と処理液とを接触させる方式により、浸漬方式と噴霧方式とに大別される。浸漬方式は、処理基板全体を処理液中に浸漬して処理する方式であり、噴霧方式は、処理液を処理基板に噴霧して処理する方式である。
【０００６】
処理基板全面において均一に液体表面処理するためには、処理基板と処理液とが均一に接触することが前提条件であった。浸漬方式では、原理的にこの条件は満足されることになるが、噴霧方式では、処理液を処理基板に噴霧して処理するために、噴霧ノズルの構造やノズル配置、時間あたりの噴霧量などを最適化することが必要である。
【０００７】
液体表面処理は、固体表面における液体との接触による化学反応である。処理基板の表面近傍では、処理基板面と処理液との接触によって当該処理液の構成成分が消費されて濃度が低下し、一方、処理液の変性物資や反応生成物の濃度は増大する。この結果、処理液組成が変化する。従って、反応速度を一定に維持するためには、処理液の攪拌と拡散によって、処理基板表面に対して新液が絶えず供給される必要がある。即ち、液体表面処理反応の制御のためには、処理液温度、処理時間、処理液組成、処理液量を適切に制御することに加えて、処理液を効果的に拡散することが重要である。
【０００８】
処理液の拡散を効率化する手段として、浸漬方式においては、空気を反応槽に導入するエアレーションで処理液を攪拌することや、処理基板を支持体ごと機械的に揺動させることが知られている。一方、噴霧方式においては、処理液が連続的にノズルから供給されるため、基板上では順次に処理液の交換が起こり、噴霧自体が攪拌効果を有すると言える。
【０００９】
また、液体表面処理においては、処理基板を処理液中で保持する機構が不可欠である。浸漬方式では、一般には、支持体としてのクリップで処理基板端部を挟む方式、処理基板を固定する溝などが形成された収納箱を支持体として保持する方式、などが汎用されてきた。
【００１０】
このような支持体を使用する場合、処理基板の支持体への取付操作、及び、処理後の支持体からの取外操作が不可避である。このため、一般に、工業生産装置ではこうした操作が機械化されている。また、工業生産装置では、液体表面処理工程に付随して、前処理工程、後処理工程が実施されるのが常である。従って、各工程間で処理基板を搬送することが必要となる。連続生産する場合は、通常、戻り機構が付与された搬送装置が不可欠となる。
【００１１】
この点に関して、近年、ロールコンベア方式の導入が拡大してきた。これは、進行方向に複数個のロールが平行配置されていて、全体が同期して同方向に回転する力と処理基板と回転ロールとの間の摩擦力とによって、処理基板を一方から他方にロールの回転とともに移動させる方式である。この方式では、ロールコンベアが、処理基板を支持する支持体としての機能を奏すると同時に、当該処理基板を搬送する機能も合わせ持つ。
【００１２】
ロールコンベア方式は、処理基板の取付操作及び取外操作が不要で、装置自体も比較的簡素であるという利点がある。但し、ロールコンベア方式と噴霧方式とを併用する場合には、噴霧位置ごとに処理液供給量の偏りが生じることを抑制するために、例えば処理基板の進行方向および直角方向に複数の噴霧ノズルを分布させることが必要である。また、処理基板の両面を同時処理する場合には、移動する処理基板の上下に、複数の噴霧ノズルが配置される必要がある。
【００１３】
工業生産においては、処理液の管理も重要である。具体的には、処理液の温度管理に加えて、構成成分に関して減少成分の濃度調整、処理液中に蓄積した反応生成物やダストなどの不純物除去、などが重要である。処理液は、循環させて再利用する場合が多い。特に高価な処理液を使用する場合には、経済性の観点から循環させて再利用することが普通に行われている。そのため、処理液をためておく貯槽の設置が必要とされ、貯槽と反応槽との間で処理液が循環される。
【発明の概要】
【発明が解決しようとする課題】
【００１４】
現行の浸漬方式や噴霧方式においては、処理基板上での処理量のバラツキや偏りが大きい。その主たる原因は、処理基板上での「反応の場」が均一でないことであると考えられる。
【００１５】
ここで、「反応の場」とは、処理液組成、処理液温度、処理液の流量、処理液の流速、処理液の攪拌や拡散の状況、などで決まる反応環境を意味する。特に、処理基板の近傍における「反応の場」が重要である。この「反応の場」を的確に制御するためには、当該「反応の場」の各要素を計測することが必要であると考えられていた。
【００１６】
浸漬方式の場合、処理基板の表裏において処理液と処理基板との均一接触が確保できるという利点がある。また、処理液組成、処理液温度、処理液量、処理時間等の計測が容易であるという利点もある。
【００１７】
しかしながら、エアレーションや処理基板揺動という項目については、好適な判断指標を設定することが難しく、結果的に、処理基板の全面に亘って攪拌ないし拡散の効果が均一であるか否かを確認することが十分にできていない。実際、工業生産において、均一な表面処理が必ずしも実現できていないのだが、それは、浸漬方式において当該攪拌ないし拡散の効果が十分に調整できていないことに起因している。
【００１８】
一方、噴霧方式の場合、処理基板に絶えず処理液が噴霧され、処理基板上で常に処理液の交換がなされるため、攪拌および拡散は常に十分に行われると考えられる。この方式では、多数の噴霧ノズルを用いて空間的に離れた場所から処理液を噴霧するために、例えばコンピュータシミュレーションを援用する等して、各ノズルからの出射処理液量の最適化及び各ノズルの配置の最適化が図られている。
【００１９】
しかしながら、出射処理液量を真に最適化することは難しく、実際には、処理液の過剰供給下で処理が実施されている場合が多い。結果的に、処理基板に噴霧される処理液の組成等において処理基板の位置毎の相違が生じてしまって、実際、工業生産において、均一な表面処理が必ずしも実現できていない。
【００２０】
処理量のバラツキや偏りのない均一処理を行うことは、素材となる基板の厚みを正確に調整したり、基板上のどの位置でも精密な微細加工を可能にするための前提条件である。
【００２１】
また、反応速度の的確な制御は、薄い加工層を精密に液体表面処理するための必須要件である。
【００２２】
本発明は、以上の知見に基づいて創案されたものである。本発明の目的は、処理量に関するバラツキや偏りが顕著に低減される表面処理装置を提供することである。
【課題を解決するための手段】
【００２３】
本発明は、所定の厚みの板状ないしフィルム状の被処理体の表裏両面に処理液を接触させて表面処理を実施する表面処理装置であって、上面壁と、下面壁と、前記被処理体が導入ないし排出される開口と、を有する反応容器と、前記反応容器の上面壁に設けられ、前記反応容器の内部に向けて処理液を下向きに供給する処理液下向き供給部と、前記反応容器の下面壁に設けられ、前記反応容器の内部に向けて処理液を上向きに供給する処理液上向き供給部と、を備えたことを特徴とする表面処理装置である。
【００２４】
本発明によれば、反応容器内に導入される被処理体に対して、上方からも下方からも処理液を供給することができるため、被処理体の表面（上面）と裏面（下面）とで処理量（処理速度）の均一が図られる。また、被処理体への処理液の供給を連続的に行うことによって、従来の浸漬方式と同様に、被処理体と処理液との均一接触が確保できる一方、従来の噴霧方式と同様に、絶えず新しい処理液が被処理体に供給されるため、付加的に攪拌を実施する必要がない。
【００２５】
また、処理液下向き供給部によって被処理体の表面（上面）に与えられる処理液の供給圧と処理液上向き供給部によって被処理体の裏面（下面）に与えられる処理液の供給圧とのバランスを調整することにより、被処理体を処理液中に浮遊した状態ないしそれに近い状態とすることが可能であり、その場合、反応容器内において被処理体を無接点状態で支持することができ、表裏全面の表面処理が可能となる。
【００２６】
本発明において、処理液下向き供給部の上面壁における開口の位置と、処理液上向き供給部の下面壁における開口の位置とは、鉛直方向に対応していることが好ましい。この場合、被処理体の表面（上面）にかかる処理液の供給圧と被処理体の裏面（下面）にかかる処理液の供給圧とのバランスの調整が容易である。
【００２７】
処理量の均一をより確実にするためには、処理液下向き供給部は、上面壁において、略均等に分布された複数の開口を有していて、処理液上向き供給部も、下面壁において、略均等に分布された複数の開口を有していることが好ましい。この場合には、処理液下向き供給部の上面壁における複数の開口の各位置と、処理液上向き供給部の下面壁における複数の開口の各位置とが、鉛直方向に対応していることが好ましい。また、処理量の均一を更に確実するためには、上面壁において、当該上面壁上の複数の開口を互いに連通させる溝穴が設けられており、下面壁において、当該下面壁上の複数の開口を互いに連通させる溝穴が設けられていることが好ましい。
【００２８】
通常、反応容器の上面壁と下面壁とは、互いに平行であるように構成される。また、処理量（処理速度）の均一のためには、処理液が反応容器内に充満することが好ましく、その観点から、上面壁と下面壁との間の高さが被処理体の所定の厚みの１を超えて５０倍以下の範囲であることが好ましく、１を超えて１０倍以下の範囲であることが更に好ましい。
【００２９】
反応容器内に供給される処理液は、回収されて循環利用されることが好ましい。処理液は、被処理体の導入用の開口からも排出されるが、下面壁に処理液を排出するための排出溝が形成されていてもよい。
【００３０】
また、反応容器において、被処理体が導入される導入口と、被処理体が排出される排出口とが、直線上に別個に設けられていることが好ましい。この場合、複数の被処理体を順次連続的に処理することが容易である。更には、反応容器よりも全長の長い長尺状の被処理体を連続的に処理することも可能である。
【００３１】
また、反応容器の導入口の近傍には、被処理体を導入口に導入させる導入用搬送装置が設けられていることが好ましい。この場合、被処理体を導入口に導入させることが容易である。
【００３２】
また、反応容器の排出口の近傍には、被処理体の排出口からの排出を支援する排出用搬送装置が設けられていることが好ましい。この場合、被処理体を排出口から排出させることが容易である。
【００３３】
また、本発明は、前記の特徴のいずれかを有する表面処理装置を用いて、所定の厚みの板状ないしフィルム状の被処理体の表裏両面に表面処理を実施する方法であって、前記処理液下向き供給部及び前記処理液上向き供給部の両方から前記反応容器内に処理液を供給し続ける処理液供給工程と、前記処理液供給工程中に、前記導入口から前記被処理体を前記反応容器内に導入する被処理体導入工程と、を備えたことを特徴とする方法である。
【発明の効果】
【００３４】
本発明によれば、反応容器内に導入される被処理体に対して、上方からも下方からも処理液を供給することができるため、被処理体の表面（上面）と裏面（下面）とで処理量（処理速度）の均一が図られる。また、被処理体への処理液の供給を連続的に行うことによって、従来の浸漬方式と同様に、被処理体と処理液との均一接触が確保できる一方、従来の噴霧方式と同様に、絶えず新しい処理液が被処理体に供給されるため、付加的に攪拌を実施する必要がない。
【００３５】
また、処理液下向き供給部によって被処理体の表面（上面）に与えられる処理液の供給圧と処理液上向き供給部によって被処理体の裏面（下面）に与えられる処理液の供給圧とのバランスを調整することにより、被処理体を処理液中に浮遊した状態ないしそれに近い状態とすることが可能であり、その場合、反応容器内において被処理体を無接点状態で支持することができ、表裏全面の表面処理が可能となる。
【図面の簡単な説明】
【００３６】
【図１】本発明の一実施の形態の表面処理装置の概略斜視図である。
【図２】図１の表面処理装置の概略正面図である。
【図３】図２のIII−III線断面図である。
【図４】図３のIV−IV線断面図である。
【図５】図３のＶ−Ｖ線断面図である。
【図６】銅箔の厚みの測定箇所を示す概略図である。
【図７】図１の表面処理装置による表面処理の実施の前後の銅箔の厚みの測定値を示す表である。
【図８】従来のスプレーマシンによる表面処理の実施の前後の銅箔の厚みの測定値を示す表である。
【図９】図７の測定値及び図８の測定値についての標準偏差値を示す表である。
【図１０】図１の表面処理装置によるエッチングレートと、従来の浸漬方式の装置によるエッチングレートと、を比較して示す表である。
【発明を実施するための形態】
【００３７】
以下に、添付の図面を参照して、本発明の実施の形態を詳細に説明する。
【００３８】
図１は、本発明の一実施の形態の表面処理装置の概略斜視図である。図２は、図１の表面処理装置の概略正面図である。図３は、図２のIII−III線断面図である。図４は、図３のIV−IV線断面図である。図５は、図３のＶ−Ｖ線断面図である。図１乃至図５に示す本実施の形態の表面処理装置１００は、所定の厚みの板状ないしフィルム状の被処理体の表裏両面に処理液を接触させて表面処理を実施する装置である。
【００３９】
より具体的には、本実施の形態の表面処理装置１００は、０．２ｍｍの厚みの基板の表裏に約１８μｍの厚みの銅箔が圧着された銅張積層板を被処理体とし、過酸化水素と硫酸とを含むエッチング液を処理液として、表面処理として銅箔の薄箔化処理を実施する装置である。
【００４０】
図１乃至図５に示すように、本実施の形態の表面処理装置１００は、金属製の厚板である上板２０と、同様に金属製の厚板である台板３０とが、一対の細長い金属製の薄板である側方スペーサ４０を介してネジ（不図示）で結合されて構成されている。側方スペーサ４０の厚みは、０．４ｍｍとなっている。
【００４１】
上板２０の下面と、台板３０の上面と、一対の側方スペーサ４０の各々の内側面と、によって囲まれた直方体状の空間が、反応容器１０を構成している。すなわち、上板２０の下面が反応容器１０の上面壁を構成しており、台板３０の上面が反応容器１０の下面壁を構成している。反応容器１０の高さは、側方スペーサ４０の厚みに対応して、０．４ｍｍである。
【００４２】
図１乃至図３に示すように、反応容器１０の前後面は開口しており、前面の開口が被処理体が導入される導入口１１となっており、後面の開口が被処理体が排出される排出口１２となっている。図１乃至図３に示すように、導入口１１と排出口１２とは、直線上に整列配置されている。反応容器１０の長さ（導入口１１から排出口１２までの長さ）は、本実施の形態では、２７ｃｍとなっており、反応容器１０の横幅（一対の側方スペーサ４０の各々の内側面間の距離）は、２５ｃｍとなっている。
【００４３】
図３乃至図５に示すように、上板２０には、２つの処理液下向き供給部２１、２２が形成されており、台板３０には、２つの処理液上向き供給部３１、３２が形成されている。
【００４４】
図３及び図４に示すように、処理液下向き供給部２１は、上面壁において、長さ方向に導入口１１から１０ｃｍ（単なる一例である）の位置に、横幅方向に等間隔に（横幅方向に側方スペーサ４０の右方内側面から１．５ｃｍ、５．５ｃｍ、９．５ｃｍ、１３．５ｃｍ、１７．５ｃｍ、２１．５ｃｍの位置に（単なる一例である））整列する６つの開口を有している。当該開口は、鉛直方向に延びる６つのノズル流路２１ｎの下端開口に対応している。６つのノズル流路２１ｎの上端部は、横幅方向に延びる分配流路２１ｄによって接続されている。上板２０の上面には、処理液供給管に接続される接続口２１ｃが設けられており、当該接続口２１ｃと分配流路２１ｄとが鉛直方向に延びる注入流路２１ｐによって連通されている。さらに、本実施の形態では、上面壁の６つの開口（６つのノズル流路２１ｎの下端開口）の領域において横幅方向に延びる溝穴２１ｇが設けられている。この溝穴２１ｇは、処理液の圧力を当該溝穴２１ｇ内の広い範囲で均一に維持することで被処理体をバランスよく浮遊させるために設けられている。溝穴２１ｇの好適なサイズは、溝幅３〜７ｍｍ（例えば５ｍｍ）、深さ０．３〜１．０ｍｍ（例えば０．５ｍｍ）である。
【００４５】
そして、処理液上向き供給部３１は、下面壁において、長さ方向に導入口１１から１０ｃｍ（単なる一例である）の位置に、横幅方向に等間隔に整列する６つの開口を有している。当該開口は、鉛直方向に延びる６つのノズル流路３１ｎの上端開口に対応しており、また、処理液下向き供給部２１の６つの開口とも鉛直方向に対応している（向き合っている）。６つのノズル流路３１ｎの下端部は、横幅方向に延びる分配流路３１ｄによって接続されている。台板３０の下面には、処理液供給管に接続される接続口３１ｃが設けられており、当該接続口３１ｃと分配流路３１ｄとが鉛直方向に延びる注入流路３１ｐによって連通されている。さらに、本実施の形態では、下面壁の６つの開口（６つのノズル流路３１ｎの上端開口）の領域において横幅方向に延びる溝穴３１ｇが設けられている。この溝穴３１ｇも、処理液の圧力を当該溝穴３１ｇ内の広い範囲で均一に維持することで被処理体をバランスよく浮遊させるために設けられている。溝穴３１ｇの好適なサイズは、溝幅３〜７ｍｍ（例えば５ｍｍ）、深さ０．３〜１．０ｍｍ（例えば０．５ｍｍ）である。
【００４６】
略同様に、図３及び図５に示すように、処理液下向き供給部２２は、上面壁において、長さ方向に導入口１１から１７ｃｍ（単なる一例である）の位置に、横幅方向に等間隔に（横幅方向に側方スペーサ４０の右方内側面から３．５ｃｍ、７．５ｃｍ、１１．５ｃｍ、１５．５ｃｍ、１９．５ｃｍ、２３．５ｃｍの位置に（単なる一例である））整列する６つの開口を有している。当該開口は、鉛直方向に延びる６つのノズル流路２２ｎの下端開口に対応している。６つのノズル流路２２ｎの上端部は、横幅方向に延びる分配流路２２ｄによって接続されている。上板２０の上面には、処理液供給管に接続される接続口２２ｃが設けられており、当該接続口２２ｃと分配流路２２ｄとが鉛直方向に延びる注入流路２２ｐによって連通されている。さらに、本実施の形態では、上面壁の６つの開口（６つのノズル流路２２ｎの下端開口）の領域において横幅方向に延びる溝穴２２ｇが設けられている。この溝穴２２ｇも、処理液の圧力を当該溝穴２２ｇ内の広い範囲で均一に維持することで被処理体をバランスよく浮遊させるために設けられている。溝穴２２ｇの好適なサイズは、溝幅３〜７ｍｍ（例えば５ｍｍ）、深さ０．３〜１．０ｍｍ（例えば０．５ｍｍ）である。
【００４７】
そして、処理液上向き供給部３２は、下面壁において、長さ方向に導入口１１から１７ｃｍ（単なる一例である）の位置に、横幅方向に等間隔に整列する６つの開口を有している。当該開口は、鉛直方向に延びる６つのノズル流路３２ｎの上端開口に対応しており、また、処理液下向き供給部２２の６つの開口とも鉛直方向に対応している（向き合っている）。６つのノズル流路３２ｎの下端部は、横幅方向に延びる分配流路３２ｄによって接続されている。台板３０の下面には、処理液供給管に接続される接続口３２ｃが設けられており、当該接続口３２ｃと分配流路３２ｄとが鉛直方向に延びる注入流路３２ｐによって連通されている。さらに、本実施の形態では、下面壁の６つの開口（６つのノズル流路３２ｎの上端開口）の領域において横幅方向に延びる溝穴３２ｇが設けられている。この溝穴３２ｇも、処理液の圧力を当該溝穴３２ｇ内の広い範囲で均一に維持することで被処理体をバランスよく浮遊させるために設けられている。溝穴３２ｇの好適なサイズは、溝幅３〜７ｍｍ（例えば５ｍｍ）、深さ０．３〜１．０ｍｍ（例えば０．５ｍｍ）である。
【００４８】
ノズル流路２１ｎ、２２ｎ、３１ｎ、３２ｎの各々は、直径１．５ｍｍであり（単なる一例である）、分配流路２１ｄ、２２ｄ、３１ｄ、３２ｄの各々は、直径１０ｍｍであり（単なる一例である）、注入流路２１ｐ、２２ｐ、３１ｐ、３２ｐの各々は、直径１０ｍｍである（単なる一例である）。
【００４９】
なお、本実施の形態では、横幅方向について、処理液下向き供給部２１の６つの開口の位置と処理液下向き供給部２２の６つの開口の位置とが、互いに千鳥状となっているが、互いに同一であってもよい。同様に、横幅方向について、処理液上向き供給部３１の６つの開口の位置と処理液上向き供給部３２の６つの開口の位置とが、互いに千鳥状となっているが、互いに同一であってもよい。
【００５０】
また、図３に示すように、本実施の形態では、下面壁において、長さ方向に導入口１１の近傍と排出口１２の近傍とに、処理液を排出するために横幅方向に延びる排出溝３５、３６が形成されている。排出溝３５、３６は、例えば当該排出溝３５、３６の両端部において台板２０を鉛直方向に貫通する排出孔（不図示）に連通していてもよい。また、当該排出孔は、処理液回収管（不図示）に接続されていてもよい。
【００５１】
また、図２に示すように、本実施の形態では、排出されて飛散され得る処理液のための受け板（よけ板）６０が設けられている（図１では図示が省略されている）。この受け板６０は、表面処理装置１００の側面を保護する機能も奏し、上板２０及び台板３０にネジで結合されている。
【００５２】
また、図１に示すように、本実施の形態では、台板３０の下面に公知の水平度調節機構がついた脚２５が取り付けられている。また、図３に示すように、反応容器１０の導入口１１の近傍には、被処理体を導入口に導入させる導入用搬送装置としての第１ロールコンベア装置７０が配置されており、反応容器１０の排出口１２の近傍には、被処理体の排出口１２からの排出を支援する排出用搬送装置としての第２ロールコンベア装置８０が配置されている。
【００５３】
本実施の形態の表面処理装置１００の構成は、以上の通りであるが、極めて高い表面処理の均一性を実現するべく、反応容器１０の寸法精度は極めて高くなっている。具体的には、反応容器１０の上下の高さを決定する側方スペーサ４０の厚みが一様となるように、側方スペーサ４０の上下面は精密に加工されており、下面壁となる台板２０の上面と上面壁となる上板３０の下面にも、平滑研磨加工が施されている。更に、側方スペーサ４０の内側面についても高精度に加工されて、反応容器の横幅の均一性も確保されている。
【００５４】
次に、本実施の形態の表面処理装置１００の作用について説明する。ここでは、０．２ｍｍの厚みの基板の表裏に約１８μｍの厚みの銅箔が圧着された銅張積層板を被処理体とし、過酸化水素と硫酸とを含むエッチング液を処理液として、表面処理として銅箔の薄箔化処理を実施する場合について説明する。
【００５５】
処理液の具体的な成分は、例えば、過酸化水素濃度が２４ｇ／Ｌで、硫酸濃度が５５ｇ／Ｌである。また、処理液の温度は、例えば１０℃に維持される。また、処理液の供給量は、全ての注入流路２１ｐ、２２ｐ、３１ｐ、３２ｐの合計で、例えば１５Ｌ／ｍｉｎである（全ての注入流路２１ｐ、２２ｐ、３１ｐ、３２ｐが並列に１５Ｌ／ｍｉｎの出力を有するポンプに接続される。
【００５６】
以上のような処理液の供給条件の下、全ての注入流路２１ｐ、２２ｐ、３１ｐ、３２ｐから反応容器１０内へ、すなわち、処理液下向き供給部２１、２２及び処理液上向き供給部３１、３２から反応容器１０内へ、処理液の供給が開始される。これにより、処理液は反応容器１０内に充満していく。充満後も処理液は供給され続けるため、処理液は順次、排出溝３５、３６（及び排出孔）を介して回収され、適宜のフィルターを介して循環利用される。また、反応容器１０の導入口１１や排出口１２からも、処理液が溢れて排出される。
【００５７】
以上のように処理液の供給が継続されている間に、第１ロールコンベア装置７０によって、導入口１１から被処理体（銅張積層板）が導入される。ここで、被処理体（銅張積層板）の具体的なサイズは、例えば、長さが３２ｃｍ（２７ｃｍ＋渡り代５ｃｍ）、幅が２４ｃｍ（反応容器１０の幅に対して、左右それぞれ０．５ｃｍのマージン：このマージンは、側方スペーサ４０の内側面に「引っ掛かる」ことを避けるために有効）である。
【００５８】
第１ロールコンベア装置７０による被処理体の搬送速度は、例えば、１３．５ｃｍ／ｍｉｎ（＝２７ｃｍ／２ｍｉｎ）、すなわち、被処理体（銅張積層板）の先頭が反応容器１０内に入り始めてから被処理体（銅張積層板）の先頭が反応容器１０から出始めるまでの時間が２分、という搬送速度とされる。この場合、被処理体（銅張積層板）の全ての箇所が反応容器１０内において処理液と２分間接触することとなり、表面処理時間のバラツキを顕著に低減することができる。
【００５９】
また、被処理体（銅張積層板）の長さが圧力容器１０の長さよりも長ければ、すなわち、「渡り代」を有していれば、第１ロールコンベア装置７０による被処理体（銅張積層板）の最後部の搬送が終わっていない間に、被処理体（銅張積層板）の先頭が反応容器１０を通過して第２ロールコンベア装置８０によって搬送され始める。このような場合、被処理体（銅張積層板）は円滑に搬送されながら連続的に表面処理を受けることができるため、処理が安定して表面処理の一層の均一化が図れる他、処理効率も極めて高くなる。
【００６０】
以下、本実施の形態の表面処理装置１００を用いた実際の表面処理の例についての評価を説明する。当該実施例では、被処理体として、０．２ｍｍの厚みの基板の表裏に約１８μｍの厚みの銅箔が圧着された銅張積層板が用いられ、そのサイズは、長さが３２ｃｍ、幅が２４ｃｍであった。処理液の具体的な成分は、過酸化水素濃度が２４ｇ／Ｌで、硫酸濃度が５５ｇ／Ｌで、銅濃度が０ｇ／Ｌで、処理液の温度は、１０℃に維持された。また、処理液の供給量は、全ての注入流路２１ｐ、２２ｐ、３１ｐ、３２ｐの合計で、例えば１５Ｌ／ｍｉｎであった。そして、反応容器１０への処理液の供給が継続されている間に、２７ｃｍ／３．５ｍｉｎの搬送速度で被処理体が反応容器１０内を搬送され、それによって銅箔の薄箔化処理が実施された。
【００６１】
処理前後の表裏の銅箔の厚みについて、図６に示すように、横５点、縦５点の合計２５点が抽出されて、電気抵抗式膜厚測定器を使用した測定が行われた。図７は、その測定値を示す表である。また、比較のため、従来のスプレーマシンを用いて、同じエッチング量となるように処理が行われた。その場合の測定値が、図８に示されている。
【００６２】
図７の測定値、及び、図８の測定値についての標準偏差値が図９に示されている。図９に示された標準偏差値から、本実施例においては、従来のスプレーマシンのように複雑な調整を行わなくても、従来のスプレーマシンを用いた場合よりも更に優れた低いバラツキを実現できていることが分かる。
【００６３】
図１０は、図１の表面処理装置によるエッチングレート（ＥＲ）と、従来の浸漬方式の装置によるエッチングレート（ＥＲ）と、を比較して示す表である。図１０に示す通り、本実施例においては、従来の浸漬方式の装置を用いた場合よりも更に優れたエッチングレートを実現できていることが分かる。
【００６４】
本実施の形態によれば、反応容器１０内に導入される被処理体に対して、上方からも下方からも処理液を供給することができるため、表裏全面において均等な反応条件が得られ、表面と裏面との処理量（処理速度）の均一を図ることができる。また、被処理体への処理液の供給（圧入）を連続的に行うことによって、従来の浸漬方式と同様に、被処理体と処理液との均一接触が確保できる一方、従来の噴霧方式と同様に、絶えず新しい処理液が被処理体に供給されるため、付加的に攪拌を実施する必要がない。
【００６５】
また、処理液下向き供給部２１、２２によって被処理体の表面（上面）に与えられる処理液の供給圧と処理液上向き供給部３１、３２によって被処理体の裏面（下面）に与えられる処理液の供給圧とのバランスを調整することにより、被処理体を処理液中に浮遊した状態ないしそれに近い状態とすることが可能であり、反応容器内において被処理体を無接点状態で支持することができ、表裏全面の表面処理が可能となる。
【００６６】
また、表面処理時に被処理体を無接点状態で支持できるので、表面処理時の被処理体の保持機構を不要にできる。特に、薄型基板のような薄い被処理体は、そりや曲がりを生じやすいため、従来の表面処理装置においては特殊な保持機構（場合によっては両端から張力を加えて保持する機構など）が必要であったが、そのような保持機構は、本実施の形態においては、もはや不要である。従って、そのような保持機構への被処理体の取り付けや取り外しの作業から解放される。
【００６７】
また、処理液下向き供給部２１、２２によって被処理体の表面（上面）に与えられる処理液の供給圧と処理液上向き供給部３１、３２によって被処理体の裏面（下面）に与えられる処理液の供給圧とのバランスを調整することにより、そりや曲がりを生じやすい薄型基板のような薄い被処理体であっても、そりや曲がりが強制的に平坦状に修復された状態で表面処理を実施することができる。このことも、処理量（処理速度）の均一化に貢献する。
【００６８】
特に、本実施の形態では、処理液下向き供給部２１、２２の上面壁における開口の位置と、処理液上向き供給部３１、３２の下面壁における開口の位置とが、鉛直方向に対応しているため、被処理体の表面（上面）にかかる処理液の供給圧と被処理体の裏面（下面）にかかる処理液の供給圧とのバランスの調整が容易である。また、本実施の形態では、処理液下向き供給部２１、２２の流路構成と処理液下向き供給部３１、３２の流路構成とが、同一（対称）となっている。このことによっても、被処理体の表面（上面）にかかる処理液の供給圧と被処理体の裏面（下面）にかかる処理液の供給圧とのバランスの調整が容易である。具体的には、全ての注入流路２１ｐ、２２ｐ、３１ｐ、３２ｐを並列に共通のポンプに接続しても、当該ポンプの出力がある程度大きければ（１５Ｌ／ｍｉｎ程度あれば）、重力の影響を特別に考慮しなくても、被処理体の表面にかかる処理液の供給圧と被処理体の裏面にかかる処理液の供給圧との所望のバランスを十分に実現することができる。
【００６９】
また、本実施の形態では、各処理液供給部２１、２２、３１、３２の圧力容器１０内への開口が、横幅方向に並んで設けられているため、圧力容器１０内の横幅方向の処理液供給の均一性が高められている。このことも、処理量（処理速度）の均一化に貢献する。
【００７０】
また、本実施の形態では、反応容器１０の高さが０．４ｍｍとなっており、反応容器１０は極めて狭い空間となっている。従って、表面処理時に被処理体の表裏面と接触する処理液の層は薄く、更に、処理液は連続的に圧入されるため、被処理体の表裏面近傍においては強制的な液交換が絶えず行われることとなる。このことも、処理量（処理速度）の均一化に貢献する。
【００７１】
処理液交換の程度（速度）は、処理液の流量を制御することによって簡単に調整することができる。例えば、処理液を供給するためのポンプの出力（ないし圧力）を制御することによって、極めて簡単に調整することができる。従って、従来の噴霧方式の装置のように、処理液を過剰に供給しなくても、有効な量の処理液だけを効率よく適切に供給することができる。
【００７２】
勿論、本発明の反応容器１０の高さは０．４ｍｍに限定されないが、以上の観点から、反応容器１０の高さとしては、被処理体の厚みの１を超えて５０倍以下の範囲であることが好ましく、１を超えて１０倍以下の範囲であることが更に好ましく、１を超えて３倍以下の範囲であることが特に好ましい。これらの範囲内であれば、処理液は反応容器１０内に十分に速く充満することができ、従来の噴霧方式の装置のように被処理体上で局所的な滞留が生じたり偏った流れが生じたりすることがない。また、使用される処理液の量も、従来の噴霧方式の装置と比較して格段に低減するため、処理液に関するコストを大幅に低下させることができる。
【００７３】
また、本実施の形態によれば、導入口１１及び排出口１２の近傍に処理液を排出するための排出溝３５、３６（及び排出孔）が設けられているため、被処理体の導入ないし排出に影響を及ぼすことなく、装置外に処理済みの処理液を効率的に排出でき、導入口１１及び排出口１２からの処理液の溢れ出しを抑制することができる。このことは、装置の周囲環境の汚染や悪臭発生を顕著に抑制する。また、全体を密閉系に近い構成とすることができるため、回収する処理液への装置の周囲環境からのダスト等の混入を防止することができ、処理液の循環中のフィルタリング（不純物除去）に関するコストを抑制することもできる。
【００７４】
また、本実施の形態によれば、反応容器１０において、被処理体が導入される導入口１１と、被処理体が排出される排出口１２とが、直線上に別個に設けられている。このため、複数の被処理体を順次連続的に処理することが容易である。更には、反応容器１０よりも全長の長い長尺状の被処理体を連続的に処理することも可能である。
【００７５】
そして、本実施の形態によれば、反応容器１０の導入口１１の近傍に導入用搬送装置としての第１ロールコンベア装置７０が設けられているため、被処理体を導入口１１に導入させることが容易である。本実施の形態の表面処理装置１００では、圧入されている処理液中を被処理体が移動するのにかかる抵抗は、極めて小さい。そのために、導入口１１から導入された被処理体は、その導入時の運動エネルギーを維持して、排出口１２まで自動的に移動することができる。
【００７６】
また、本実施の形態によれば、反応容器１０の排出口１２の近傍に排出用搬送装置としての第２ロールコンベア装置８０が設けられているため、被処理体を排出口１２から排出させることが容易である。
【００７７】
導入用搬送装置は、被処理体を上下方向に精密に位置決めして、狭空間である反応容器１０の導入口１１に的確に被処理体を導入できれば、ロールコンベア装置でなくてもよい。同様に、排出用搬送装置についても、上下方向に精密に位置決めされた被処理体の排出を支援できれば、ロールコンベア装置でなくてもよい。
【００７８】
圧入されている処理液中を被処理体が移動することで当該被処理体の表面処理が実施される場合、圧力容器１０の長さを調整する他、被処理体の搬送速度を調整することによっても、処理量を調整することができる。このような調整により、薄型基板への微小量の処理であっても、目標数値通りの処理を実現することが可能となる。
【００７９】
なお、本実施の形態の表面処理装置１００は、被処理体の片面のみの処理にも適用可能である。その場合、例えば、被処理体の裏面に保護膜や保護フィルムが設けられた状態で表面処理が実施される。
【００８０】
また、本実施の形態の表面処理装置１００は、台板２０と上板３０と側方スペーサ４０とがネジによって結合されているため、簡単に分解することができ、側方スペーサ４０の交換が容易である。従って、厚さや幅の異なる被処理体に対して、より適切な厚さ乃至幅の側方スペーサ４０を選択して利用することが容易である。
【００８１】
また、本実施の形態の表面処理装置１００は、全体として十分に小型であるので、複数台直列に連結することによって、前処理工程や後処理工程を含めた生産ラインの構築が容易である。更に、従来では考えられなかった装置の多段設置すら可能であり、その場合には工場の面積利用効率が大幅に向上する。
【００８２】
本実施の形態の表面処理装置１００が処理対象とする被処理体としては、半導体製造に用いられるウェハ、液晶デバイス製造に用いられるガラス基板、プリント配線基板製造に用いる各種基板などが挙げられる。表面処理の態様は、エッチングによる薄箔化に限られず、種々のパターン形成であってもよい。
【００８３】
本発明は、以上の実施の形態に限定されない。例えば、処理液下向き供給部２１、２２及び処理液上向き供給部３１、３２の流路の詳細、特に圧力容器１０に対する開口の数や配置は、適宜に調整され得る。長さ方向についての当該開口の位置は、導入口１１ないし排出口１２に近寄り過ぎていると、導入口１１ないし排出口１２からの処理液の漏れ出しが多くなってしまうので、その点には留意が必要である。前記の実施の形態のように横幅方向に整列した開口を長さ方向について２箇所に設ける場合、長さ方向に略１／４と略３／４との位置に設けることが好ましい。
【００８４】
導入口１１ないし排出口１２からの処理液の漏れ出しを抑制するには、反応容器１０の高さに対して、被処理体の側面と側方スペーサ４０の内側面との間の隙間（マージン）を大きくしておくことが好ましい。但し、多少のそりや曲がりがある処理基板であっても導入ないし排出が可能であるようにしておくことが望ましい。
【符号の説明】
【００８５】
１００  表面処理装置
１０  反応容器
１１  導入口
１２  排出口
２０  台板
２１、２２  処理液下向き供給部
２１ｎ、２２ｎ  ノズル流路
２１ｇ、２２ｇ  溝穴
２１ｄ、２２ｄ  分配流路
２１ｐ、２２ｐ  注入流路
２１ｃ、２２ｃ  接続口
３０  上板
３１、３２  処理液上向き供給部
３１ｎ、３２ｎ  ノズル流路
３１ｇ、３２ｇ  溝穴
３１ｄ、３２ｄ  分配流路
３１ｐ、３２ｐ  注入流路
３１ｃ、３２ｃ  接続口
３５、３６  排出溝
４０  側方スペーサ
６０  受け板
７０  第１ロールコンベア装置
８０  第２ロールコンベア装置
【図１】
2014205865.tif 000003
【図２】
2014205865.tif 000004
【図３】
2014205865.tif 000005
【図４】
2014205865.tif 000006
【図５】
2014205865.tif 000007
【図６】
2014205865.tif 000008
【図７】
2014205865.tif 000009
【図８】
2014205865.tif 000010
【図９】
2014205865.tif 000011
【図１０】
2014205865.tif 000012